(57)【要約】【課題】購読者が手軽に休読連絡をすることができると共に、販売店にかかる負担が小さく、休読情報に基づいて、購読者のニーズに沿ったサービスを同時に提供することを目的とする。【解決手段】  購読紙を配達する販売店が利用する販売店端末と、購読者が利用する購読者端末と、ネットワークを介して通信可能に構成され、上記購読者端末から、少なくとも、購読者の識別情報と、購読紙の配達を休止する期間に関する休読期間情報とを含む休読情報を受信し、当該購読者に購読紙を配達する販売店の販売店端末に上記休読情報を配信することを特徴とする休読情報処理装置を提供する。【選択図】図１
2008070993.tif 000002
【特許請求の範囲】
【請求項１】
購読者に購読紙を配達する販売店が利用する販売店端末と、上記購読紙の購読者が利用する購読者端末と、ネットワークを介して通信可能に構成された装置であって、
上記購読者端末から、少なくとも、購読者情報と、上記購読紙の配達を休止する期間に関する休読期間情報を含む休読情報を受信する休読情報受信手段と、
上記受信した上記購読者情報と上記休読情報とを、上記販売店端末に対して配信する休読情報配信手段と、を有する、
ことを特徴とする休読情報処理装置。
【請求項２】
上記休読情報受信手段により受信した休読情報を記憶する休読情報記憶手段と、
上記休読情報記憶手段に記憶した休読情報を、所定の期間が経過した後、消去する処理消去手段と、を有する、
請求項１記載の休読情報処理装置。
【請求項３】
上記休読情報記憶手段を参照して、休読期間が開始する前の所定のタイミングで、上記休読情報配信手段に対して、上記休読情報を配信すべき指示を出す配信指示手段、を有する、
請求項２記載の休読情報処理装置。
【請求項４】
転送されてきたデータを上記販売店端末に対してＦＡＸ配信するＦＡＸ端末と、更に通信可能に構成され、
上記休読情報をＦＡＸ配信可能な形式であるＦＡＸデータに変換するデータ変換手段と、
上記ＦＡＸデータを上記ＦＡＸ端末に対して転送する指示を出す転送指示手段と、
上記転送指示手段に基づき、上記ＦＡＸデータを上記ＦＡＸ端末に対して転送するデータ転送手段と、を有する、
請求項２又は３いずれかの項に記載の休読情報処理装置。
【請求項５】
上記転送指示手段は、上記休読期間情報に応じた所定のタイミングで指示を出す、
請求項４記載の休読情報処理装置。
【請求項６】
上記休読情報は、更に、休読した購読紙を取置くか否かについての取置き情報と、取置いた購読紙をいつ配達するかの配達希望日情報を含む、
請求項１乃至５いずれかの項に記載の休読情報処理装置。
【請求項７】
広告情報を記憶する広告情報記憶手段と、
上記休読期間情報に応じた所定のタイミングで、上記広告情報を上記購読者端末に対して配信する広告情報配信手段と、を有する、
請求項１乃至６いずれかの項に記載の休読情報処理装置。
【請求項８】
上記広告情報記憶手段は、広告情報を属性情報と関連付けて記憶し、
上記購読者の属性情報を含む購読者情報を記憶する購読者情報記憶手段と、
上記購読者情報記憶手段を参照して、上記購読者の属性に応じた広告情報を上記広告情報記憶手段から抽出する広告情報抽出手段と、
上記休読期間情報に応じた所定のタイミングで、上記抽出した広告情報を上記購読者端末に対して配信する広告情報配信手段と、を有する、
請求項１乃至７いずれかの項に記載の休読情報処理装置。
【請求項９】
上記購読者に対して付加サービスを提供するサービス業者が利用するサービス業者端末と、さらにネットワークを介して通信可能に構成され、
上記購読者端末から、上記付加サービスの申込みを受信する申込受信手段と、
上記受信した申込みと共に、上記休読情報を上記サービス業者端末に対して配信する第二の休読情報配信手段と、を有する、
請求項１乃至８いずれかの項に記載の休読情報処理装置。
【請求項１０】
購読者に購読紙を配達する販売店が利用する販売店端末と、上記購読紙の購読者が利用する購読者端末と、ネットワークを介して通信可能に構成された休読情報処理装置により実行される方法であって、
上記購読者端末から、少なくとも、購読者情報と、上記購読紙の配達を休止する期間に関する休読期間情報を含む休読情報を受信するステップと、
上記受信した上記購読者情報と上記休読情報とを、上記販売店端末に対して配信するステップと、を有する、
ことを特徴とする休読情報処理方法。
【請求項１１】
購読者に購読紙を配達する販売店が利用する販売店端末と、上記購読紙の購読者が利用する購読者端末と、ネットワークを介して通信可能に構成された休読情報処理装置としてコンピュータを機能させるためのコンピュータプログラムであって、
上記コンピュータに対して
上記購読者端末から、少なくとも、購読者情報と、上記購読紙の配達を休止する期間に関する休読期間情報を含む休読情報を受信する休読情報受信手段と、
上記受信した上記購読者情報と上記休読情報とを、上記販売店端末に対して配信する休読情報配信手段と、
を実行させるコンピュータプログラム。
【発明の詳細な説明】
【技術分野】
【０００１】
本発明は、新聞等の購読紙の購読者が旅行や出張等により家を留守にする際、誰が、どれだけの期間、購読紙の配達を休止するかといった休読情報を販売店に簡易に連絡できるシステムを提供することを目的とする。
【背景技術】
【０００２】
従来、新聞等の購読者は、家を留守にする際には、電話するなどして、販売店に留守中の購読紙の配達の休止を連絡していた。
しかしながら、販売店には、販売員等が不在の時間も多く、例えば、仕事で夜遅くにしか帰宅できないような購読者にとっては不便であったし、思いついた時に連絡できず、その後忘れてしまうということもあった。
【０００３】
このように、休読の連絡を販売店に伝えることができなかった場合でも、購読者宅には、購読紙が配達されてしまうが、これによりポストに購読紙が溜め込まれると、家を留守にしていることが一目瞭然となって、防犯等の観点からは好ましくない状況になっていた。
【０００４】
そして、購読者の働き方の多様化や、核家族化により、休読の連絡をとりたいとの要望は、以前にも増して高まっている。
【０００５】
一方、インターネットが一般家庭に広く普及し、あらゆる業態がＷｅｂサービスを展開している状況においては、これにより、簡易に休読情報の受け渡しを行える基盤が整っているといえる。
【０００６】
この点、購読者が簡単に希望する新聞の配達日を指定することができるシステムとして、新聞の購読者のユーザ端末と、前記購読者の情報を管理する管理センタの管理センタ端末と、新聞を小売店に配送する配送センタの配送センタ端末と、新聞を配達する小売店の小売店端末とがネットワークを介して通信可能に構成され、前記ユーザ端末は、新聞の配達希望日を含む配達希望情報を前記管理センタ端末に送信し、前記配達希望情報は前記購読者と前記購読者に新聞を配達する小売店を関連付ける情報を含み、前記管理センタ端末は、前記配達希望情報に基づき、前記配送センタ端末に対し前記小売店に配送する新聞の配送数を含む情報を送信し、前記小売店端末に配達を希望する前記購読者のデータを含む情報を送信する新聞配達支援システムが提案されている（特許文献１参照）。
【０００７】
【特許文献１】特開２００４−１３７１３号公報
【発明の開示】
【発明が解決しようとする課題】
【０００８】
しかしながら、上記特許文献記載のシステムでは、購読者が希望する日のみに新聞等を配達し、配達した日数分だけ購読料を徴収するが、そもそも、月極め等、定期購読される新聞等においては、販売店ごとに広告取扱数量が予め設定されているなど、配達部数あるいは入荷部数を細かく増減させることは、実際的には不可能であるし、購読者が手軽に休読連絡をすることができると共に、販売店にかかる負担が小さいシステムが好ましい。
また、上記特許文献記載のシステムでは、購読者の購読日に関する情報、言い換えれば、購読者がいつ在宅しており、いつ不在であるかの情報が詳細に把握できてしまうところ、このような情報が配送センタや小売店などに何の制限もなく送信されることは、防犯上好ましくなかった。
さらに、購読者ごとの配達希望日についての情報が有効に活かされていなかった。配達希望日情報から家を留守にする場合を想定して、当該情報に基づいて購読者のニーズに沿ったサービスを同時に提供することができれば便利である。
【課題を解決するための手段】
【０００９】
上記課題を解決するため、本発明に係る休読情報処理装置は、購読者に購読紙を配達する販売店が利用する販売店端末と、上記購読紙の購読者が利用する購読者端末と、ネットワークを介して通信可能に構成された装置であって、上記購読者端末から、少なくとも、購読者情報と、上記購読紙の配達を休止する期間に関する休読期間情報を含む休読情報を受信する休読情報受信手段と、上記受信した上記購読者情報と上記休読情報とを、上記販売店端末に対して配信する休読情報配信手段とを有することを特徴とする。
購読紙とは、新聞、週刊誌や月刊誌等、購読契約に基づいて購読者に配達される印刷物をいう。
これにより、購読者は、何時、いずれの場所からでも、簡易に休読の連絡を行うことができて便利である。
【００１０】
また、上記休読情報受信手段により受信した休読情報を記憶する休読情報記憶手段と、上記休読情報記憶手段に記憶した休読情報を、所定の期間が経過した後、消去する処理消去手段と、を有するものとしてもよい。
これにより、休読情報処理装置に蓄えておくデータ量を少なくして、負担を軽減させることができる。
【００１１】
また、上記休読情報記憶手段を参照して、休読期間が開始する前の所定のタイミングで、上記休読情報配信手段に対して、上記休読情報を配信すべき指示を出す配信指示手段、を有するものとしてもよい。
これにより、購読者が不在の日を把握できる休読情報が、休読期間が始まる日よりもずっと早い段階から販売店等に知られるようなことを防ぐことができ、防犯上効果的である。
【００１２】
また、転送されてきたデータを上記販売店端末に対してＦＡＸ配信するＦＡＸ端末と、更に通信可能に構成され、上記休読情報をＦＡＸ配信可能な形式であるＦＡＸデータに変換するデータ変換手段と、上記ＦＡＸデータを上記ＦＡＸ端末に対して転送する指示を出す転送指示手段と、上記転送指示手段に基づき、上記ＦＡＸデータを上記ＦＡＸ端末に対して転送するデータ転送手段と、を有するものとしてもよい。
これにより、いわゆるコンピュータを備えない販売店においても、ＦＡＸにより休読情報を得ることができる。
【００１３】
また、上記転送指示手段は、上記休読期間情報に応じた所定のタイミングで指示を出すものとしてもよい。
これにより、購読者が不在の日を把握できる休読情報が、休読期間が始まる日よりもずっと早い段階から販売店等に知られるようなことを防ぐことができ、防犯上効果的である。
【００１４】
また、上記休読情報は、更に、休読した購読紙を取置くか否かについての取置き情報と、取置いた購読紙をいつ配達するかの配達希望日情報を含むものとしてもよい。
これにより、購読者の希望に合わせて、購読紙を取置くことができ、便利である。
【００１５】
また、広告情報を記憶する広告情報記憶手段と、上記休読期間情報に応じた所定のタイミングで、上記広告情報を上記購読者端末に対して配信する広告情報配信手段とを有するものとしてもよい。
これにより、購読者が広告情報を得たいタイミングで、広告情報を配信することができる。
【００１６】
また、上記広告情報記憶手段は、広告情報を属性情報と関連付けて記憶し、上記購読者の属性情報を含む購読者情報を記憶する購読者情報記憶手段と、上記購読者情報記憶手段を参照して、上記購読者の属性に応じた広告情報を上記広告情報記憶手段から抽出する広告情報抽出手段と、上記休読期間情報に応じた所定のタイミングで、上記抽出した広告情報を上記購読者端末に対して配信する広告情報配信手段とを有するものとしてもよい。
属性情報とは、例えば、購読者の年齢や性別等であり、家族構成を含んでもよい。
これにより、購読者に応じて、効率よく広告を配信することができる。
【００１７】
また、上記購読者に対して付加サービスを提供するサービス業者が利用するサービス業者端末と、さらにネットワークを介して通信可能に構成され、上記購読者端末から、上記付加サービスの申込みを受信する申込受信手段と、上記受信した申込みと共に、上記休読情報を上記サービス業者端末に対して配信する第二の休読情報配信手段とを有するものとしてもよい。
付加サービスとは、例えば、留守宅の防犯警備、ペットの一時預り、要介護者の一時預り、帰宅後の食事の宅配等であり、購読者が購読紙を休読して家を留守にする間に必要となるサービスである。
これにより、例えば、防犯警備を事業とするサービス業者に、留守宅を警備してもらえれば、安心して家を留守にすることができるなど、便利である。
また、休読の申込みと共に、上記付加サービスの申し込みを受けることで、留守期間に応じて一括したサービスを提供することができる。
【００１８】
また、本発明の別の観点に係る休読情報処理方法は、購読者に購読紙を配達する販売店が利用する販売店端末と、上記購読紙の購読者が利用する購読者端末と、ネットワークを介して通信可能に構成された休読情報処理装置により実行される方法であって、上記購読者端末から、少なくとも、購読者情報と、上記購読紙の配達を休止する期間に関する休読期間情報を含む休読情報を受信するステップと、上記受信した上記購読者情報と上記休読情報とを、上記販売店端末に対して配信するステップとを有することを特徴とする。
【００１９】
また、本発明の別の観点に係るコンピュータプログラムは、購読者に購読紙を配達する販売店が利用する販売店端末と、上記購読紙の購読者が利用する購読者端末と、ネットワークを介して通信可能に構成された休読情報処理装置としてコンピュータを機能させるためのコンピュータプログラムであって、上記コンピュータに対して上記購読者端末から、少なくとも、購読者情報と、上記購読紙の配達を休止する期間に関する休読期間情報を含む休読情報を受信する休読情報受信手段と、上記受信した上記購読者情報と上記休読情報とを、上記販売店端末に対して配信する休読情報配信手段とを実行させる。
【発明の効果】
【００２０】
本発明によれば、購読者は、何時、いずれの場所からでも、簡易に休読の連絡を行うことができて便利である。
また、休読情報は、最低限必要な情報量に限ることができるから、防犯上好ましい。
さらに、休読情報に応じて、家を留守にするなどの際に必要なサービスを併せて提供することができ、便利である。
【発明を実施するための最良の形態】
【００２１】
次に、本発明の実施形態について、図を参照して説明する。
図１に示すように、本発明に係るシステムは、休読情報処理装置１、購読者端末２、販売店端末３、からなり、これらはインターネットを介して相互に通信可能に構成されている。
【００２２】
購読者端末２は、新聞等の購読紙の読者であると共に、本発明に係るシステムにより提供されるサービスを受ける者が利用する端末である。この購読者端末２は、例えば、いわゆるパーソナルコンピュータ、ＰＤＡ（Ｐｅｒｓｏｎａｌ  Ｄｉｇｉｔａｌ  Ａｓｓｉｓｔａｎｃｅ）、携帯電話等で構成することができ、少なくとも所定のＷｅｂブラウザによるインターネット通信が可能であって、インターネットを介してデータの入出力を行うためのディスプレイ、キーボード等を有している。
【００２３】
販売店端末３は、購読紙の配達を行う販売店が利用する端末であって、インターネットや所定の専用回線などを介して通信が可能となっている。
【００２４】
休読情報処理装置１は、本システムに係るサービスを提供する事業者の元に設置され、ＣＰＵ（Ｃｅｎｔｒａｌ  Ｐｒｏｃｅｓｓｉｎｇ  Ｕｎｉｔ）と、ＣＰＵが実行するコンピュータプログラム、ＲＡＭ（Ｒａｎｄｏｍ  Ａｃｃｅｓｓ  Ｍｅｍｏｒｙ）などの内部メモリ及びハードディスクドライブなどの外部記憶装置などにより、図１に示す、購読者情報記憶部１１、販売店情報記憶部１２、休読情報記憶部１３、配信指示部１４、情報処理部１５、配信処理部１６、計時部１７、消去処理部１８、更新処理部１９からなる機能ブロックを構成することができる。
【００２５】
購読者情報記憶部１１は、購読者に関する個人情報を記憶することができる記憶部である。この購読者情報記憶部１１には、例えば、図２に示されるように、購読者名５１、住所５２、電話番号５３、電子メールアドレス５４、当該購読者が購読している購読紙５５、販売店ＩＤ５６が記憶されている。
購読紙５５は、例えば、新聞、週刊誌や月刊誌等、購読契約に基づいて購読者に配達される印刷物をいう。
販売店ＩＤ５６は、販売店を識別するための識別情報であって、各購読者に購読紙を配達する販売店の販売店ＩＤが、各購読者ごとに関連付けて記憶されている。
【００２６】
販売店情報記憶部１２は、販売店に関する情報を記憶することができる記憶部である。この販売店情報記憶部１２には、例えば、図３に示されるように、販売店を識別するための販売店ＩＤ６１、販売店を認証するためのパスワード６２、住所６３、電話番号６４、ＦＡＸ番号６５、電子メールアドレス６６が記憶されている。
【００２７】
休読情報記憶部１３は、購読者が家を留守にする等の理由により、購読を一定期間休読する際、その休読期間等について、この購読者側から送信された情報を記憶する記憶部である。この休読情報記憶部１３には、例えば、図４に示されるように、休読を申し込んだ購読者の購読者名７１、住所７２、休読紙７３、休読開始日７４、休読終了日７５、休読した購読紙の取置きフラグ７５、経過日数７６を記憶することができる。
休読紙７３は、購読している購読紙のうち、いずれの購読紙を休読するかを示す。
休読開始日７４は、休読する期間の一日目であり、朝夕と、一日に二回配達される新聞等の場合には、そのいずれから休読し始めるかを記憶することができる。休読終了日７４は、休読する期間の末日であり、休読開始日７４と同様、一日に二回配達される新聞等の場合には、そのいずれをもって休読を終了するかを記憶することができる。
取置きフラグ７５は、購読者の取置き希望に応じて、取置き希望があった場合には、休読中に取置きした購読紙の届け日を記憶させることで、取置き希望のフラグを立てる設定がなされる。
経過日数７６は、休読期間の終了日からの経過日数を記憶することができる欄である。
【００２８】
配信指示部１４は、休読情報記憶部１３に記憶されている休読情報を販売店端末３に対して配信する指示を出す。
この配信の指示は、休読情報が休読情報記憶部１３に登録されると同時に行われるものであってもよいし、例えば、休読期間の開始日の前日に行うなど、予め設定された日に行うものとしてもよい。
【００２９】
情報処理部１５は、休読情報記憶部１３に記憶されている休読情報を販売店端末３に対して配信する際に、購読者情報記憶部１１を参照して、休読情報に含まれる購読者名が一致する購読者を抽出し、当該購読者と関連付けて記憶されている販売店ＩＤを特定する処理を行う。なお、同姓同名を考慮して、購読者を抽出する際には、購読者名に加えて、住所が一致するか否かをも併せて判断してもよい。
【００３０】
配信処理部１６は、休読情報などの情報を販売店端末３に対して配信する処理を行う。
【００３１】
計時部１７は、休読情報記憶部１３に記憶されている休読情報について、休読期間の終了日からの経過日数をカウントする。
【００３２】
消去処理部１８は、休読情報を休読情報記憶部１３から消去する処理を行うものであって、計時部１７によりカウントされた経過日数７６に基づき、所定の経過日数が経過した休読情報のみを消去することができる。
所定の経過日数は、休読期間が反映されるべき購読月の集金日を考慮して、１ヶ月とするなど、任意に設定することができる。
【００３３】
更新処理部１９は、販売店端末３から更新情報と共に更新要求を受信した際に、販売店情報記憶部１２に記憶されている当該販売店端末３についての販売店情報に更新情報を上書して更新する処理を行う。
【００３４】
次に、本実施形態に係るシステムにおいて、購読者が購読紙の休読を登録する場合の処理の流れについて、図５を参照して説明する。
【００３５】
購読紙の休読を申し込む購読者は、購読者端末２から、本システムを提供する事業者の休読情報処理装置１にアクセスし、休読を登録するためのＷｅｂページの取得要求を送信する（Ｓ１０１）。
これに対して、休読情報処理装置１は、まず、図６に示されるようなＷｅｂページ１００を送信する（Ｓ１０２）。図６に示されるように、このＷｅｂページ１００では、休読の登録に関する説明等を表示させることができる。即ち、「休読について」ボタンを押下することにより休読についての説明が、「個人情報保護方針」ボタンを押下することにより、登録に際して入力される個人情報の保護について説明が、ポップアップウィンドウなどに表示される。これらの説明を受けて、これを了承した購読者は、「上記規約に同意する」欄にチェックを入れて、「休読連絡画面へ」ボタンを押下して、休読情報の入力要求を送信する（Ｓ１０３）。
【００３６】
休読情報処理装置１は、購読者端末２より、休読情報の入力要求を受信すると、図７に示されるような、Ｗｅｂページ１１０を当該購読者端末２に対して送信する（Ｓ１０４）。このＷｅｂページに１１０は、購読者の情報１１１として、購読者の名前、住所、電話番号、メールアドレス、また、休読情報１１２として、休読開始年月日、休読終了年月日、休読希望紙、取置き確認の各入力欄からなる。休読希望紙の入力欄には、「購読紙全て」を休読するか「購読紙の一部」を休読するか否かのチェック欄が設けられると共に、「購読紙の一部」をチェックした場合に、当該休読する購読紙を入力する欄が設けられている。また、取置き確認の欄には、取置きを希望するか否かのチェック欄と、取置きした場合に、取置きした購読紙の配達希望日を入力する欄が設けられている。
【００３７】
入力が完了すると、購読者は、図示しない「確認」ボタンを押下することにより、上記入力内容を休読情報処理装置１に対して送信する（Ｓ１０５）。これに対して、休読情報処理装置１は、入力内容を確認するためのＷｅｂページを送信し（Ｓ１０６）、購読者端末２は、図８に示されるような、入力内容を確認するためのＷｅｂページ１２０を受信する。
このＷｅｂページ１２０には、Ｗｅｂページ１１０において入力した内容１２１が表示されるほか、休読情報処理装置１に対して、入力内容を確定して、当該入力内容の登録要求を送信するための「送信」ボタン１２２、入力内容を修正するための「修正」ボタン１２３が設けられている。
【００３８】
購読者は、Ｗｅｂページ１２０上に表示された入力内容を確認し、内容の誤り等を発見した場合には、「修正」ボタン１２３を押下することにより、休読情報処理装置１より、Ｗｅｂページ１１０を再度受信し、入力内容を正すことができる。
【００３９】
一方、購読者が「送信」ボタン１２２を押下すると、入力内容の登録要求が休読情報処理装置１に送信される（Ｓ１０７）。休読情報処理装置１はこれを受信すると、登録要求を受け付けた旨を、例えば図９に示されるようなＷｅｂページ１３０により、購読者端末２に返信する（Ｓ１０８）。このＷｅｂページ１３０には、登録要求を受け付けた旨のほか、休読情報の登録を続けて行うための「続けて入力」ボタン１３１が設けられており、これを押下すると、Ｓ１０４の処理に戻って、購読者端末２に休読情報の入力用Ｗｅｂページ１１０が送信される。
【００４０】
一方、休読情報処理装置１は、上記の通り確定した休読情報の登録要求を受信すると、これを休読情報記憶部１３に記憶する（Ｓ１０９）。
そして、休読情報の登録を申し込んだ購読者のメールアドレスに対して、登録が完了した旨、及び登録内容を表示した電子メールを送信する（Ｓ１１０）。
【００４１】
一方、配信指示部１６は、休読情報記憶部１３に記憶された休読情報について、当該休読情報が所定の配信日時に至ったかどうかを監視する（Ｓ１１１）。
そして、所定の配信日時に至ったと判断した場合には、情報処理部１５に対し、当該休読情報を配信すべき販売店端末３を特定し、当該休読情報を送受信部１９に対して受け渡すよう指示を出す（Ｓ１１２）。
【００４２】
配信指示部１６から、配信指示を受けた情報処理部１５は、休読情報に係る購読者名に基づき、購読者情報記憶部１１を参照して、当該購読者名と関連付けて記憶されている販売店ＩＤにより販売店端末３を特定する。そして、当該休読情報を送受信部１９に渡して、上記特定した販売店端末３に対して配信するよう要求する（Ｓ１１３）
【００４３】
上記休読情報を、販売店端末３への配信要求と共に受け付けた配信処理部１９は、販売店端末３に対して、当該休読情報を配信する（Ｓ１１４）。
上記休読情報を受信した販売店端末３に係る販売店は、これに基づいて、購読者が休読する期間中、当該購読者への購読紙の配達を休止する。
【００４４】
本実施例においては、休読情報記憶部１３に記憶された休読情報について、所定の時間が経過した場合に、消去させることができる。
この処理は、計時部１７が、休読情報記憶部１３に記憶されている休読情報について、休読期間の終了日からの経過日数を随時カウントすると共に、消去処理部１８が、上記経過日数を監視して、所定の経過日数が経過した時点で休読情報を消去することにより行われる。
なお、本実施例においては、所定の経過日数経過後に、休読情報を消去するが、休読期間の終了と同時に消去するものとしてもよいし、販売店端末３からの消去要求を受け付けて、当該消去要求のあったものについては経過日数にかかわらず消去するものとしてもよい。
【００４５】
次に、販売店端末３が休読情報処理装置１にアクセスして受けることができるメンテナンスサービスについて説明する。
販売店端末３は、休読情報処理装置１に対して、予め販売店毎に発行された販売店ＩＤ及びパスワードを送信して、認証を受け、例えば、図１０に示されるような、当該販売店専用のＷｅｂページ１４０を受信する。
このＷｅｂページ１４０には、選択できるメニューとして、「登録メールアドレス変更」１４１、「休読連絡一覧の閲覧」１４２、「休読連絡データダウンロード」１４３が設けられている。
【００４６】
「登録メールアドレス変更」１４１では、休読情報のメールを受信するためのメールアドレスを変更することができる。これを選択すると、例えば、図１１に示されるようなＷｅｂページ１５０上から、更新するメールアドレスを入力欄１５１に入力して更新要求を送信することができる。
休読情報処理装置１は、上記更新要求を受信すると、更新処理部１５により、販売店情報記憶部１２を参照して、販売店の電子メールアドレスを上書して更新する。
【００４７】
「休読連絡一覧の閲覧」１４２では、休読情報記憶部１３に記憶されている休読情報が、例えば、図１２に示されるような一覧として抽出され、販売店はこれを閲覧することができる。この際、閲覧できる休読情報は、全休読情報としてもよいし、当該販売店から購読紙の配達を受ける購読者に関する休読情報のみを抽出したものとしてもよい。
【００４８】
「休読連絡データダウンロード」１４３では、上記「休読連絡一覧の閲覧」１４２により閲覧できる休読情報を販売店端末３にダウンロードできる。ダウンロードは、ＣＳＶ形式によることができ、表計算ソフト等で加工することが可能である。
【００４９】
本発明の別の実施形態においては、販売店端末３に対する休読情報の配信を、ＦＡＸ配信によって行うことができる。
ＦＡＸ配信による場合には、本発明に係るシステムの構成は、例えば、図１３に示すように、休読情報処理装置１、購読者端末２、販売店端末３、ＦＡＸ端末４からなり、これらはインターネットを介して通信可能に構成されている。
【００５０】
休読情報処理装置１は、購読者情報記憶部１１、販売店情報記憶部１２、休読情報記憶部１３、情報処理部１５、計時部１７、消去処理部１８、更新処理部１９に加え、転送指示部２０、データ変換部２１、転送処理部２２とからなる機能ブロックを構成する。
【００５１】
転送指示部２０は、休読情報記憶部１３に記憶されている休読情報をＦＡＸ端末４に対して転送する指示を出す。
この転送の指示は、休読情報が休読情報記憶部１３に登録されると同時に行われるものであってもよいし、例えば、休読期間の開始日の前日に行うなど、予め設定された日に行うものとしてもよい。
データ変換部２１は、休読情報記憶部１３に記憶されている休読情報を、ＦＡＸ配信可能なテキスト形式等のＦＡＸデータに変換する処理を行うことができる。
転送処理部２２は、ＦＡＸデータをＦＡＸ端末４に転送する処理を行う。
【００５２】
ＦＡＸ端末４は、所定の形式のデータをＦＡＸ配信する端末であって、ＦＡＸ配信処理部４１を有する。
ＦＡＸ配信処理部４１は、休読情報処理装置１から転送されてきたデータを、販売店端末３に対してＦＡＸ配信することができる。
【００５３】
休読情報のＦＡＸ端末４によるＦＡＸ配信処理の流れを図１４を参照して説明する。
まず、図５におけるＳ１１０までの処理と同様の処理を辿る。
そして、転送指示部２０は、休読情報記憶部１３に記憶された休読情報について、当該休読情報が所定の配信日時に至ったかどうかを監視する（Ｓ１２１）。
そして、所定の配信日時に至ったと判断した場合には、データ変換部２１に対し、当該休読情報をＦＡＸ配信可能なテキスト形式等のＦＡＸデータに変換するよう指示する。また、これと共に、情報処理部１５に対し、当該ＦＡＸデータを配信すべき販売店端末３を特定し、転送処理部２２に渡すよう指示を出す（Ｓ１２２）。
【００５４】
上記指示を受けたデータ変換部２１は、休読情報をＦＡＸデータに変換する（Ｓ１２３）。
一方、情報処理部１５は、休読情報に係る購読者名に基づき、購読者情報記憶部１１を参照して、当該購読者名と関連付けて記憶されている販売店ＩＤにより販売店端末３を特定する。そして、上記ＦＡＸデータを転送処理部２２に渡して、ＦＡＸ端末４に転送するよう要求する（Ｓ１２４）。
【００５５】
上記ＦＡＸデータを受け取った転送処理部２２は、当該ＦＡＸデータをＦＡＸ端末４に転送する（Ｓ１２５）。
そして、ＦＡＸ端末４のＦＡＸ配信処理部４１は、上記転送されてきたＦＡＸデータを、販売店端末３に対してＦＡＸ配信する（Ｓ１２６）。
上記休読情報を受信した販売店端末３に係る販売店は、これに基づいて、購読者が休読する期間中、当該購読者への購読紙の配達を休止する。
【００５６】
また、本発明の別の実施の形態によれば、休読情報処理装置１は、上記実施の形態に係る購読者端末２及び販売店端末３に加え、付加サービスを提供するサービス業者が利用するサービス業者端末と通信可能に構成することができる。
この実施の形態におけるサービス業者としては、例えば、留守中に、ユーザが飼っているペットを預かってくれる業者、家の庭の植木などの水やり等を代行して行ってくれる業者、家に要介護者を残す場合に当該要介護者の介護サービスを提供する業者のほか、帰宅時に、家まで食料あるいは料理を宅配してくれる業者などが挙げられる。
そして、例えば、図１５に示すような、情報処理装置１が提供するポータルサイト上から、上記各サービス業者により提供されるサービスの申込みを、購読者が行えるようになっている。
休読情報処理装置１が、購読者端末２から上記サービスの申込みを受けた場合には、該サービスを行う業者のサービス業者端末に対して、申込みと共に、購読者情報記憶部１１及び休読情報記憶部１３を参照して購読者情報及び休読情報を抽出し送信する。
例えば、購読者が防犯警備のサービスを申し込んだ場合には、防犯警備を行う業者のサービス業者端末に対して、休読期間中、当該購読者の居宅を防犯警備するよう、要請を送信する。
これにより、購読者は、休読期間に応じて必要となるサービスを、休読の申込みと併せて申し込むことができて便利である。
【００５７】
また、本発明の別の実施の形態によれば、休読情報処理装置１は、図１６に示すように、購読者情報記憶部１１、販売店情報記憶部１２、休読情報記憶部１３、配信指示部１４、情報処理部１５、配信処理部１６、計時部１７、消去処理部１８、更新処理部１９に加え、広告情報記憶部２３、広告配信処理部２４を有する。
【００５８】
広告情報記憶部２３は、購読者端末２に配信する広告情報を記憶する記憶部である。この広告情報記憶部２３には、例えば、図１７に示すように、広告データ８１、広告主８２、関連属性８３、地域８４、広告の配信指定日時８５を記憶することができる。関連属性８３には、広告を配信する対象の性別、年齢、要介護者やペットの有無などを記憶することができる。また、地域８４には、広告の配信対象者が住む地域を記憶することができる。また、配信指定日時８５は、広告データを配信する日時であって、例えば、休読期間最終日と指定されている場合には、休読期間の最終日になった時に広告データが配信される。なお、配信指定日時の指定がない場合には、休読の申込みを受信後すぐに配信したり、所定の時刻に配信したりするよう設定することができる。
広告配信指示部２４は、広告情報記憶部２３に記憶されている広告データを購読者端末３に対して配信すべき旨の指示を配信処理部１６に対して行う。
【００５９】
購読者情報記憶部１１には、例えば図１８に示すように、購読者情報として、購読者名５１等のほか、購読者の性別５７、年齢５８、さらには世帯構成５９といった属性情報を記憶させることができる。
配信処理部１６は、休読情報を販売店端末３に対して配信する処理に加えて、広告データを購読者端末３に対して配信する処理を行うことができる。
【００６０】
この実施例における広告情報配信の処理フローの一例を、図１９により説明する。
まず、休読の申込みを行った購読者の購読者情報を参照して、当該購読者の属性及び地域に適合する広告情報を広告情報記憶部から抽出する（Ｓ１３１）。
そして、当該広告情報についての配信指定日時に至ったかを判断する（Ｓ１３２）。この際、指定日時が休読期間の前後等に指定されていた場合には、休読情報記憶部１３に記憶されている、当該購読者の休読期間を参照する。この結果、指定日時に至った場合には、当該広告情報を対象購読者に対して配信する（Ｓ１３３）。
なお、休読情報の販売店端末３への配信は、前述の実施例と同様である。
これにより、例えば、休読期間の最終日に食事のデリバリーサービスのチケットを配信したり、休読期間の前にペットの一時預りサービスの広告を配信するなどでき、購読者毎に効果的な広告を効率よく配信等することができる。
なお、休読情報処理装置１は、購読者に対して直接、あるいは、購読者が休読を申し込む際に、バナー広告などの方法により、購読者の属性情報に応じて、広告を配信することもできる。
【図面の簡単な説明】
【００６１】
【図１】本発明の実施の形態に係る機能ブロックの一例を示した図である。
【図２】本実施の形態に係る購読者情報記憶部に記憶されるデータの一例を示した図である。
【図３】本実施の形態に係る販売店情報記憶部に記憶されるデータの一例を示した図である。
【図４】本実施の形態に係る休読情報記憶部に記憶されるデータの一例を示した図である。
【図５】本実施の形態における処理の流れの一例を示したシーケンス図である。
【図６】本実施の形態において、休読情報の登録の説明等を表示するＷｅｂページの一例を示した図である。
【図７】本実施の形態において、休読情報の入力画面の一例を示した図である。
【図８】本実施の形態において、入力した休読情報の確認画面の一例を示した図である。
【図９】本実施の形態において、休読情報の登録要求を受け付けた旨を表示する画面の一例を示した図である。
【図１０】本実施の形態において、販売店端末に提供されるメンテナンスサービス画面の一例を示した図である。
【図１１】本実施の形態において、メールアドレスの変更を入力する画面の一例を示した図である。
【図１２】本実施の形態において、販売店端末に提供される休読情報の閲覧画面の一例を示した図である。
【図１３】本発明の別の実施の形態に係る機能ブロックの一例を示した図である。
【図１４】本発明の別の実施の形態における処理の流れの一例を示したシーケンス図である。
【図１５】本発明の別の実施の形態において、休読情報処理装置１が提供するポータルサイトの一例を示した図である。
【図１６】本発明の更に別の実施の形態に係る機能ブロックの一例を示した図である。
【図１７】本発明の別の実施の形態において、購読者情報記憶部１１に記憶することができるデータの一例を示した図である。
【図１８】本実施の形態における広告情報記憶部に記憶することができるデータの一例を示した図である。
【図１９】本実施の形態における広告配信の処理フローの一例を示した図である。
【符号の説明】
【００６２】
１・・・休読情報処理装置、２・・・購読者端末、３・・・販売店端末、１１・・・購読者情報記憶部、１２・・・販売店情報記憶部、１３・・・休読情報記憶部、１４・・・配信指示部、１５・・・情報処理部、１６・・・配信処理部、１７・・・計時部、１８・・・消去処理部、１９・・・更新処理部、２０・・・転送指示部、２１・・・データ変換部、２２・・・転送処理部、２３・・・広告情報記憶部、２４・・・広告配信処理部、４１・・・ＦＡＸ配信処理部
【図１】
2008070993.tif 000003
【図２】
2008070993.tif 000004
【図３】
2008070993.tif 000005
【図４】
2008070993.tif 000006
【図５】
2008070993.tif 000007
【図６】
2008070993.tif 000008
【図７】
2008070993.tif 000009
【図８】
2008070993.tif 000010
【図９】
2008070993.tif 000011
【図１０】
2008070993.tif 000012
【図１１】
2008070993.tif 000013
【図１２】
2008070993.tif 000014
【図１３】
2008070993.tif 000015
【図１４】
2008070993.tif 000016
【図１５】
2008070993.tif 000017
【図１６】
2008070993.tif 000018
【図１７】
2008070993.tif 000019
【図１８】
2008070993.tif 000020
【図１９】
2008070993.tif 000021